(57)【特許請求の範囲】
【請求項１】
ウェイトであって、
ハウジングと、
前記ハウジング内部に配された流体経路であって、前記流体経路は、その少なくとも実質的な長さにわたって実質的に円筒形または実質的に円形の断面形状を有する内壁によって画定され、前記流体経路は、その中に形成された少なくとも１つの指定された焦点場所を有する、流体経路と、
前記流体経路内部に配された１つ以上の方向転換壁であって、前記１つ以上の方向転換壁は、前記流体経路の前記内壁から半径方向内向きに延び、前記流体経路を通過する際に別の状況で進むであろう流体移動とは異なる前記流体経路に沿った場所まで、流体を蛇行して方向転換し、前記１つ以上の方向転換壁は、前記少なくとも１つの指定された焦点場所のうちの１つ以上に流体を導くように構成されている、１つ以上の方向転換壁と、
前記流体経路内部に配され、その中で揺れ動き、それによって運動エネルギーを生成するように構成された流体であって、前記流体は、前記ハウジングに加えられる特定の運動に基づいて、前記流体経路を通って、前記少なくとも１つの指定された焦点場所のうちの１つ以上に導かれる、流体と、
を含み、
前記流体経路を通る前記流体の動きを選択的に制御すること、前記少なくとも１つの指定された焦点場所のうちの少なくとも１つ以上への前記流体の動きを選択的に制御すること、および前記１つ以上の方向転換壁との接触に関して前記流体の動きを選択的に制御すること、のうちの少なくとも１つを行うように構成された、１つ以上の流体制御要素をさらに含む、ウェイト。
【請求項２】
請求項１に記載のウェイトにおいて、
前記ハウジングは、ウェイトプレート、バーベル、およびジャグのうちの１つをさらに含む、ウェイト。
【請求項３】
請求項１に記載のウェイトにおいて、
前記流体は、１つ以上の材料が中に配された液体をさらに含む、ウェイト。
【請求項４】
ボールにおいて、
外層と、
前記外層内部に配された流体経路であって、前記流体経路は、その少なくとも実質的な長さにわたって実質的に円筒形または実質的に円形の断面形状を有する内壁によって画定され、前記流体経路は、その中に形成された少なくとも１つの指定された焦点場所を有する、流体経路と、
前記流体経路内部に配された１つ以上の方向転換壁であって、前記１つ以上の方向転換壁は、前記流体経路の前記内壁から半径方向内向きに延び、前記流体経路を通過する際に別の状況で進むであろう流体移動とは異なる前記流体経路に沿った場所まで、流体を蛇行して方向転換し、前記１つ以上の方向転換壁は、前記少なくとも１つの指定された焦点場所のうちの１つ以上に流体を導くように構成されている、１つ以上の方向転換壁と、
前記流体経路内部に配され、その中で揺れ動き、それによって運動エネルギーを生成するように構成された流体であって、前記流体は、前記ボールに加えられる特定の運動に基づいて、前記流体経路を通って、前記少なくとも１つの指定された焦点場所のうちの１つ以上に導かれる、流体と、
を含む、ボール。
【請求項５】
請求項４に記載のボールにおいて、
前記外層内部に配された空気袋をさらに含み、前記流体経路は、前記空気袋内に配されている、ボール。
【請求項６】
請求項４に記載のボールにおいて、
前記ボールは、フットボール用ボール、ラグビーボール、バスケットボール、サッカーボール、野球用ボール、クリケットボール、ボウリングボール、ラクロスボール、水球ボール、およびアイスホッケー用パックのうちの１つである、ボール。
【請求項７】
請求項４に記載のボールにおいて、
前記流体は、１つ以上の材料が中に配された液体をさらに含む、ボール。
【請求項８】
請求項４に記載のボールにおいて、
前記流体経路を通る前記流体の動きを選択的に制御すること、前記少なくとも１つの指定された焦点場所のうちの少なくとも１つ以上への前記流体の動きを選択的に制御すること、および前記１つ以上の方向転換壁との接触に関して前記流体の動きを選択的に制御すること、のうちの少なくとも１つを行うように構成された、１つ以上の流体制御要素をさらに含む、ボール。
【請求項９】
遊戯具において、
ハンドルが関連付けられたハウジングと、
前記ハウジング内部に配された流体経路であって、前記流体経路は、その少なくとも実質的な長さにわたって実質的に円筒形または実質的に円形の断面形状を有する内壁によって画定され、前記流体経路は、その中に形成された少なくとも１つの指定された焦点場所を有する、流体経路と、
前記流体経路内部に配された１つ以上の方向転換壁であって、前記１つ以上の方向転換壁は、前記流体経路の前記内壁から半径方向内向きに延び、前記流体経路を通過する際に別の状況で進むであろう流体移動とは異なる前記流体経路に沿った場所まで、流体を蛇行して方向転換し、前記１つ以上の方向転換壁は、前記少なくとも１つの指定された焦点場所のうちの１つ以上に流体を導くように構成されている、１つ以上の方向転換壁と、
前記流体経路内部に配され、その中で揺れ動き、それによって運動エネルギーを生成するように構成された流体であって、前記流体は、前記ハンドルを握る使用者によって前記ハウジングに加えられる特定の運動に基づいて、前記流体経路を通って、前記少なくとも１つの指定された焦点場所のうちの１つ以上に導かれる、流体と、
を含み、
前記流体経路を通る前記流体の動きを選択的に制御すること、前記少なくとも１つの指定された焦点場所のうちの少なくとも１つ以上への前記流体の動きを選択的に制御すること、および前記１つ以上の方向転換壁との接触に関して前記流体の動きを選択的に制御すること、のうちの少なくとも１つを行うように構成された、１つ以上の流体制御要素をさらに含む、遊戯具。
【請求項１０】
遊戯具において、
ハンドルが関連付けられたハウジングと、
前記ハウジング内部に配された流体経路であって、前記流体経路は、その少なくとも実質的な長さにわたって実質的に円筒形または実質的に円形の断面形状を有する内壁によって画定され、前記流体経路は、その中に形成された少なくとも１つの指定された焦点場所を有する、流体経路と、
前記流体経路内部に配された１つ以上の方向転換壁であって、前記１つ以上の方向転換壁は、前記流体経路の前記内壁から半径方向内向きに延び、前記流体経路を通過する際に別の状況で進むであろう流体移動とは異なる前記流体経路に沿った場所まで、流体を蛇行して方向転換し、前記１つ以上の方向転換壁は、前記少なくとも１つの指定された焦点場所のうちの１つ以上に流体を導くように構成されている、１つ以上の方向転換壁と、
前記流体経路内部に配され、その中で揺れ動き、それによって運動エネルギーを生成するように構成された流体であって、前記流体は、前記ハンドルを握る使用者によって前記ハウジングに加えられる特定の運動に基づいて、前記流体経路を通って、前記少なくとも１つの指定された焦点場所のうちの１つ以上に導かれる、流体と、
を含み、
前記ハウジングは、スロートと、ラケットヘッドと、をさらに含み、前記遊戯具は、テニスラケットである、遊戯具。
【請求項１１】
遊戯具において、
ハンドルが関連付けられたハウジングと、
前記ハウジング内部に配された流体経路であって、前記流体経路は、その少なくとも実質的な長さにわたって実質的に円筒形または実質的に円形の断面形状を有する内壁によって画定され、前記流体経路は、その中に形成された少なくとも１つの指定された焦点場所を有する、流体経路と、
前記流体経路内部に配された１つ以上の方向転換壁であって、前記１つ以上の方向転換壁は、前記流体経路の前記内壁から半径方向内向きに延び、前記流体経路を通過する際に別の状況で進むであろう流体移動とは異なる前記流体経路に沿った場所まで、流体を蛇行して方向転換し、前記１つ以上の方向転換壁は、前記少なくとも１つの指定された焦点場所のうちの１つ以上に流体を導くように構成されている、１つ以上の方向転換壁と、
前記流体経路内部に配され、その中で揺れ動き、それによって運動エネルギーを生成するように構成された流体であって、前記流体は、前記ハンドルを握る使用者によって前記ハウジングに加えられる特定の運動に基づいて、前記流体経路を通って、前記少なくとも１つの指定された焦点場所のうちの１つ以上に導かれる、流体と、
を含み、
前記ハウジングは、バレルをさらに含み、前記遊戯具は、バットである、遊戯具。
【請求項１２】
遊戯具において、
ハンドルが関連付けられたハウジングと、
前記ハウジング内部に配された流体経路であって、前記流体経路は、その少なくとも実質的な長さにわたって実質的に円筒形または実質的に円形の断面形状を有する内壁によって画定され、前記流体経路は、その中に形成された少なくとも１つの指定された焦点場所を有する、流体経路と、
前記流体経路内部に配された１つ以上の方向転換壁であって、前記１つ以上の方向転換壁は、前記流体経路の前記内壁から半径方向内向きに延び、前記流体経路を通過する際に別の状況で進むであろう流体移動とは異なる前記流体経路に沿った場所まで、流体を蛇行して方向転換し、前記１つ以上の方向転換壁は、前記少なくとも１つの指定された焦点場所のうちの１つ以上に流体を導くように構成されている、１つ以上の方向転換壁と、
前記流体経路内部に配され、その中で揺れ動き、それによって運動エネルギーを生成するように構成された流体であって、前記流体は、前記ハンドルを握る使用者によって前記ハウジングに加えられる特定の運動に基づいて、前記流体経路を通って、前記少なくとも１つの指定された焦点場所のうちの１つ以上に導かれる、流体と、
を含み、
前記ハウジングは、シャフトと、マレットヘッドと、をさらに含み、前記遊戯具は、ポロマレットである、遊戯具。
【請求項１３】
遊戯具において、
ハンドルが関連付けられたハウジングと、
前記ハウジング内部に配された流体経路であって、前記流体経路は、その少なくとも実質的な長さにわたって実質的に円筒形または実質的に円形の断面形状を有する内壁によって画定され、前記流体経路は、その中に形成された少なくとも１つの指定された焦点場所を有する、流体経路と、
前記流体経路内部に配された１つ以上の方向転換壁であって、前記１つ以上の方向転換壁は、前記流体経路の前記内壁から半径方向内向きに延び、前記流体経路を通過する際に別の状況で進むであろう流体移動とは異なる前記流体経路に沿った場所まで、流体を蛇行して方向転換し、前記１つ以上の方向転換壁は、前記少なくとも１つの指定された焦点場所のうちの１つ以上に流体を導くように構成されている、１つ以上の方向転換壁と、
前記流体経路内部に配され、その中で揺れ動き、それによって運動エネルギーを生成するように構成された流体であって、前記流体は、前記ハンドルを握る使用者によって前記ハウジングに加えられる特定の運動に基づいて、前記流体経路を通って、前記少なくとも１つの指定された焦点場所のうちの１つ以上に導かれる、流体と、
を含み、
前記ハウジングは、シャフトと、ポケットが関連付けられたヘッドと、をさらに含み、前記遊戯具は、ラクロススティックである、遊戯具。
【請求項１４】
遊戯具において、
ハンドルが関連付けられたハウジングと、
前記ハウジング内部に配された流体経路であって、前記流体経路は、その少なくとも実質的な長さにわたって実質的に円筒形または実質的に円形の断面形状を有する内壁によって画定され、前記流体経路は、その中に形成された少なくとも１つの指定された焦点場所を有する、流体経路と、
前記流体経路内部に配された１つ以上の方向転換壁であって、前記１つ以上の方向転換壁は、前記流体経路の前記内壁から半径方向内向きに延び、前記流体経路を通過する際に別の状況で進むであろう流体移動とは異なる前記流体経路に沿った場所まで、流体を蛇行して方向転換し、前記１つ以上の方向転換壁は、前記少なくとも１つの指定された焦点場所のうちの１つ以上に流体を導くように構成されている、１つ以上の方向転換壁と、
前記流体経路内部に配され、その中で揺れ動き、それによって運動エネルギーを生成するように構成された流体であって、前記流体は、前記ハンドルを握る使用者によって前記ハウジングに加えられる特定の運動に基づいて、前記流体経路を通って、前記少なくとも１つの指定された焦点場所のうちの１つ以上に導かれる、流体と、
を含み、
前記ハウジングは、シャフトと、ブレードと、をさらに含み、前記遊戯具は、ホッケースティックである、遊戯具。
【請求項１５】
遊戯具において、
ハンドルが関連付けられたハウジングと、
前記ハウジング内部に配された流体経路であって、前記流体経路は、その少なくとも実質的な長さにわたって実質的に円筒形または実質的に円形の断面形状を有する内壁によって画定され、前記流体経路は、その中に形成された少なくとも１つの指定された焦点場所を有する、流体経路と、
前記流体経路内部に配された１つ以上の方向転換壁であって、前記１つ以上の方向転換壁は、前記流体経路の前記内壁から半径方向内向きに延び、前記流体経路を通過する際に別の状況で進むであろう流体移動とは異なる前記流体経路に沿った場所まで、流体を蛇行して方向転換し、前記１つ以上の方向転換壁は、前記少なくとも１つの指定された焦点場所のうちの１つ以上に流体を導くように構成されている、１つ以上の方向転換壁と、
前記流体経路内部に配され、その中で揺れ動き、それによって運動エネルギーを生成するように構成された流体であって、前記流体は、前記ハンドルを握る使用者によって前記ハウジングに加えられる特定の運動に基づいて、前記流体経路を通って、前記少なくとも１つの指定された焦点場所のうちの１つ以上に導かれる、流体と、
を含み、
前記ハウジングは、シャフトと、ヘッドと、をさらに含み、前記遊戯具は、ゴルフクラブである、遊戯具。
【請求項１６】
請求項９に記載の遊戯具において、
前記流体は、１つ以上の材料が中に配された液体をさらに含む、遊戯具。
【請求項１７】
衣類において、
衣服として着用されるように構成された外層と、
前記外層内部に配された流体経路であって、前記流体経路は、その少なくとも実質的な長さにわたって実質的に円筒形または実質的に円形の断面形状を有する内壁によって画定され、前記流体経路は、その中に形成された少なくとも１つの指定された焦点場所を有する、流体経路と、
前記流体経路内部に配された１つ以上の方向転換壁であって、前記１つ以上の方向転換壁は、前記流体経路の前記内壁から半径方向内向きに延び、前記流体経路を通過する際に別の状況で進むであろう流体移動とは異なる前記流体経路に沿った場所まで、流体を蛇行して方向転換し、前記１つ以上の方向転換壁は、前記少なくとも１つの指定された焦点場所のうちの１つ以上に流体を導くように構成されている、１つ以上の方向転換壁と、
前記流体経路内部に配され、その中で揺れ動き、それによって運動エネルギーを生成するように構成された流体であって、前記流体は、前記衣類に加えられる特定の運動に基づいて、前記流体経路を通って、前記少なくとも１つの指定された焦点場所のうちの１つ以上に導かれる、流体と、
を含む、衣類。
【請求項１８】
請求項１７に記載の衣類において、
前記衣類は、医療用装具、ベスト、シャツ、パンツ、ショートパンツ、バックパック、サドル、およびサドル様パックのうちの１つである、衣類。
【請求項１９】
請求項１７に記載の衣類において、
前記流体は、１つ以上の材料が中に配された液体をさらに含む、衣類。
【請求項２０】
請求項１７に記載の衣類において、
前記流体経路を通る前記流体の動きを選択的に制御すること、前記少なくとも１つの指定された焦点場所のうちの少なくとも１つ以上への前記流体の動きを選択的に制御すること、および前記１つ以上の方向転換壁との接触に関して前記流体の動きを選択的に制御すること、のうちの少なくとも１つを行うように構成された、１つ以上の流体制御要素をさらに含む、衣類。
【請求項２１】
筋肉および神経のうちの少なくとも１つを構築する方法において、
流体経路が形成された物体に力を加えることを含み、前記流体経路は、その少なくとも実質的な長さにわたって実質的に円筒形または実質的に円形の断面形状を有する内壁によって画定され、１つ以上の方向転換壁が前記流体経路の前記内壁から半径方向内向きに延び、
前記物体に前記力を加えると、前記流体経路内部に配された流体がその中で揺れ動き、それによって運動エネルギーが生成され、前記流体の一部は、前記１つ以上の方向転換壁のうちの少なくとも１つと接触して、前記物体に加えられた前記力に基づいて、前記流体を少なくとも１つの指定された焦点場所に導いて、前記力を加える使用者の小さな筋線維および神経のうちの少なくとも１つを強化し、
前記流体が前記流体経路を通過する様式を調節するために、前記流体経路および前記１つ以上の方向転換壁の場所のうちの少なくとも１つを調節することをさらに含む、方法。
【請求項２２】
請求項２１に記載の筋肉を構築する方法において、
前記物体は、ウェイト、ボール、遊戯具、および衣類のうちの１つである、方法。
【請求項２３】
請求項２２に記載の筋肉を構築する方法において、
前記物体は、ウェイトであり、前記ウェイトは、ウェイトプレート、バーベル、およびジャグのうちの１つである、方法。
【請求項２４】
筋肉を構築する方法において、
流体経路が形成された物体に力を加えることを含み、前記流体経路は、その少なくとも実質的な長さにわたって実質的に円筒形または実質的に円形の断面形状を有する内壁によって画定され、１つ以上の方向転換壁が前記流体経路の前記内壁から半径方向内向きに延び、
前記物体に前記力を加えると、前記流体経路内部に配された流体がその中で揺れ動き、それによって運動エネルギーが生成され、前記流体の一部は、前記１つ以上の方向転換壁のうちの少なくとも１つと接触して、前記物体に加えられた前記力に基づいて、前記流体を少なくとも１つの指定された焦点場所に導いて、前記力を加える使用者の小さな筋線維および神経のうちの少なくとも１つを強化し、
前記物体はボールであり、前記ボールは、フットボール用ボール、ラグビーボール、バスケットボール、サッカーボール、野球用ボール、クリケットボール、ボウリングボール、ラクロスボール、水球ボール、およびアイスホッケー用パックのうちの１つである、方法。
【請求項２５】
筋肉を構築する方法において、
流体経路が形成された物体に力を加えることを含み、前記流体経路は、その少なくとも実質的な長さにわたって実質的に円筒形または実質的に円形の断面形状を有する内壁によって画定され、１つ以上の方向転換壁が前記流体経路の前記内壁から半径方向内向きに延び、
前記物体に前記力を加えると、前記流体経路内部に配された流体がその中で揺れ動き、それによって運動エネルギーが生成され、前記流体の一部は、前記１つ以上の方向転換壁のうちの少なくとも１つと接触して、前記物体に加えられた前記力に基づいて、前記流体を少なくとも１つの指定された焦点場所に導いて、前記力を加える使用者の小さな筋線維および神経のうちの少なくとも１つを強化し、
前記物体は遊戯具であり、前記遊戯具は、テニスラケット、バット、ポロマレット、ラクロススティック、ホッケースティック、およびゴルフクラブのうちの１つである、方法。
【請求項２６】
筋肉を構築する方法において、
流体経路が形成された物体に力を加えることを含み、前記流体経路は、その少なくとも実質的な長さにわたって実質的に円筒形または実質的に円形の断面形状を有する内壁によって画定され、１つ以上の方向転換壁が前記流体経路の前記内壁から半径方向内向きに延び、
前記物体に前記力を加えると、前記流体経路内部に配された流体がその中で揺れ動き、それによって運動エネルギーが生成され、前記流体の一部は、前記１つ以上の方向転換壁のうちの少なくとも１つと接触して、前記物体に加えられた前記力に基づいて、前記流体を少なくとも１つの指定された焦点場所に導いて、前記力を加える使用者の小さな筋線維および神経のうちの少なくとも１つを強化し、
前記物体は衣類であり、前記衣類は、医療用装具、ベスト、シャツ、パンツ、ショートパンツ、バックパック、サドル、およびサドル様パックのうちの１つである、方法。
【請求項２７】
請求項２１に記載の筋肉を構築する方法において、
前記流体経路内に配された前記流体は、１つ以上の材料が中に配された液体をさらに含む、方法。
【発明の詳細な説明】
【開示の内容】
【０００１】
〔関連出願の相互参照〕
本出願は、２０１７年２月２３日出願の、名称を「ＬＷ，  Ｌｉｑｕｉｄｓ  Ｗｅｉｇｈｔｓ  ｉｓ  ｌｉｑｕｉｄｓ  ｉｎ  ｗｅｉｇｈｔｓ  ｕｓｉｎｇ  ｋｉｎｅｔｉｃ  ｅｎｅｒｇｙ  ｉｎ  ｌｉｆｔｉｎｇ  ｄｅｖｉｃｅ  ｕｓｅｄ  ｔｏ  ｍａｉｎｔａｉｎ  ｏｒ  ｒｅｈａｂｉｌｉｔａｔｅ  ａｔｈｌｅｔｅｓ，  ｈｕｍａｎｓ  ｉｎ  ｇｅｎｅｒａｌ，  ａｎｄ  ａｎｉｍａｌｓ  ｔｏ  ｂｕｉｌｄ  ｍｕｓｃｌｅ  ｆｉｂｅｒｓ」とする、米国仮特許出願第６２／４６２，６９４号の優先権および利益を主張し、その内容は、参照により全体として本明細書に組み込まれる。
【０００２】
〔分野〕
ウェイトリフティング業界は、ウェイトを持ち上げることを通じて人々および動物の筋肉の発達、維持、およびリハビリテーションを支援する。筋肉は、動物および人においてウェイトリフティングを通じて、再建して強くなることができる。
【０００３】
〔背景〕
ウェイトリフティング業界は、より大きな筋肉を構築することによる、筋線維の維持、再建、および発達にさらに注目している。より大きな筋線維が注目されている場合、固有受容性感覚（proprioception）および神経筋接合部のような、より小さな筋線維には、それらが受けるに足りる注目が集まらない。
【０００４】
運動選手から普通の人までウェイトリフティング界が練習時または理学療法中に大きな筋群により多く焦点を当てると、ウェイトリフティングの練習の価値は低下する。頑丈なウェイトを持ち上げるとき、固有受容性感覚および神経筋接合部は無視されるので、より大きな筋群に、より多く焦点が当てられる。運動選手がより大きな筋線維により多く焦点を当て、より小さな筋線維を無視すると、練習時に小さな筋線維が無視されたために、その運動選手は、負傷しやすくなるか、または最高レベルのパフォーマンスができないことがある。負傷した肩を修復する理学療法を受けている人は、理学療法中により大きな筋線維に焦点を当てるという事実により、回復時間が長くなることがある。
【０００５】
より大きな筋線維が焦点を当てられる唯一の筋線維であった時代は終わった。人々および動物は、特定の筋群を動かすときに、より大きな筋線維およびより小さな筋線維を含めることで、包括的な練習またはリハビリテーションを行うことを望む。これは最終的には、筋線維の構築にさらなる価値を加え、負傷の回復時間を向上させるか、または大小の筋線維の構築に役立ち、練習もしくは理学療法にさらなる価値を与えることができる。人および動物で大小の筋線維を同時に働かせることができれば、大小の筋線維を発達させる際にさらなる価値を加えられるので、システムを整備すると良いであろう。
【０００６】
〔概要〕
本開示は、神経筋接合部の発達に焦点を当てることによって、小さな筋線維を構築するのを助ける。特に、本開示は、小さな筋線維および／または神経の構築および強化を補助するために、液体が内部に配されたさまざまな物体（ウェイト、遊戯具、ボール、衣服など）を提供する。特に、これらの物体は、小さな筋線維および／または神経の発達を補助する特定の場所に流体を導くのを助けるために、物体内部に形成される特定の構成を有する。物体内に形成される流体経路は、経路内部に１つ以上の方向転換壁または内壁を含めることによって強化されて、小さな筋線維および／または神経の強化が起こり得る所望の場所に流体を方向転換するのを助ける。結果として、流体経路内の流体は、方向転換壁によって、物体内部の１つ以上の特定の場所（指定された焦点場所と呼ばれることがある）に方向転換され得る。流体が導かれる１つ以上の特定の場所の位置は、それらが、人および他の動物（例えば、馬）を含み得る使用者の小さな筋線維および神経を強化および構築するのを助けるように位置付けられ得る。これらの教示が使用され得る物体は多数あり、とりわけ、さまざまなタイプのウェイト（例えば、ウェイトプレート、バーベル、ジャグ（jugs））、ボール（例えば、フットボール用ボール、ラグビーボール、バスケットボール、サッカーボール、野球用ボール、ボウリングボール、ラクロスボール、水球ボール、アイスホッケー用パック）、遊戯具（例えば、テニスラケット、野球およびクリケット用などのバット、ポロマレット、ラクロススティック、ホッケースティック、ゴルフクラブ）、ならびに衣類（例えば、医療用装具、ベスト、シャツ、パンツ、ショートパンツ、バックパック、サドル、サドル様パック（saddle-lick packs））が含まれる。本開示の趣旨から逸脱することなく、本明細書で提供される他の特徴（例えば、液体、材料が中に配された液体など）の中でも、流体経路および方向転換壁に関する開示を、多くの異なるタイプの物体に組み込む。本開示で提供される物体は一般に、液体ウェイトテクノロジー（Liquid Weights Technology）、またはＬＷもしくはＬＷＴとして要約することができる。
【０００７】
例示的な一実施形態では、ハウジングと、ハウジング内部に配された流体経路と、流体経路内部に配された１つ以上の方向転換壁と、流体経路内部に配された流体と、を含むウェイトが提供される。流体経路は、流体経路の少なくとも実質的な長さにわたって実質的に円筒形または実質的に円形の断面形状を有する内壁によって画定される。流体経路は、その中に形成された少なくとも１つの指定された焦点場所も有する。１つ以上の方向転換壁は、流体経路の内壁から半径方向内向きに延び、流体経路を通過する際に別の状況で進むであろう流体移動とは異なる流体経路に沿った場所まで、流体を蛇行して方向転換する。１つ以上の方向転換壁は、少なくとも１つの指定された焦点場所のうちの１つ以上に流体を導くように構成されている。流体は、流体経路内で揺れ動いて、運動エネルギーを生成するように構成されている。流体は、ハウジングに加えられる特定の運動に基づいて、流体経路を通って、少なくとも１つの指定された焦点場所のうちの１つ以上に導かれる。１つ以上の方向転換壁は、指定された焦点場所に流体を導くのを助けることができる。
【０００８】
当業者は、本開示の趣旨から逸脱することなく、流体経路の他の形状が可能であることを理解するであろう。これは、この説明された実施形態、ならびに本明細書で提供されるすべての他の実施形態に当てはまる。さらに、流体経路の実質的な長さへの言及は、流体経路が、ハウジング内に形成される経路の少なくとも半分、またはそれ以上について所望の形状を有することを示すことを、当業者は理解するであろう。このことは、この説明された実施形態、ならびに本明細書で提供される他の実施形態に同様に当てはまる。説明される実施形態のいずれかにおける少なくとも１つの指定された焦点場所のうちの１つ以上は、使用者（例えば、人または他の動物）の小さな筋線維および神経のうちの少なくとも１つを構築するために、所望の運動エネルギーを生成するのに役立つ場所に配され得る。
【０００９】
いくつかの実施形態では、ハウジングは、ウェイトプレート、バーベル、およびジャグのうちの１つを含み得る。本開示の趣旨から逸脱することなく、他のタイプのウェイトを使用することもできる。流体は、１つ以上の材料が中に配された液体を含み得る。さまざまなタイプの材料が以下に提供され、かつ／または本開示を考慮して当業者によって組み込まれ得る。液体中に材料を添加することで、液体の流れおよび／または粘度を変化させることができる。
【００１０】
ウェイトはまた、１つ以上の流体制御要素を含み得、これは、流体経路を通る流体の動きを選択的に制御し、かつ／または少なくとも１つの指定された焦点場所のうちの少なくとも１つ以上への流体の動きを選択的に制御し、かつ／または１つ以上の方向転換壁との接触に関して流体の動きを選択的に制御するように構成されている。流体制御要素は、オリフィス（オリフィスは流体経路である）を通る流体の流れを停止、開始、または別様に変化させるために使用され得る、弁および他の既知の特徴を含み得る。
【００１１】
別の例示的な実施形態では、外層と、外層内部に配された流体経路と、流体経路内部に配された１つ以上の方向転換壁と、流体経路内部に配された流体と、を含むボールが提供される。流体経路は、流体経路の少なくとも実質的な長さにわたって実質的に円筒形または実質的に円形の断面形状を有する内壁によって画定される。流体経路は、その中に形成された少なくとも１つの指定された焦点場所も有する。１つ以上の方向転換壁は、流体経路の内壁から半径方向内向きに延び、流体経路を通過する際に別の状況で進むであろう流体移動とは異なる流体経路に沿った場所まで、流体を蛇行して方向転換する。１つ以上の方向転換壁は、少なくとも１つの指定された焦点場所のうちの１つ以上に流体を導くように構成されている。流体は、流体経路内で揺れ動いて、運動エネルギーを生成するように構成されている。流体は、ボールに加えられる特定の運動に基づいて、流体経路を通って、少なくとも１つの指定された焦点場所のうちの１つ以上に導かれる。１つ以上の方向転換壁は、指定された焦点場所に流体を導くのを助けることができる。
【００１２】
ボールは、外層内部に配され得る空気袋を含み得る。いくつかのそのような実施形態では、流体経路は、空気袋内部に配され得る。いくつかの実施形態では、ボールは、フットボール用ボール、ラグビーボール、バスケットボール、サッカーボール、野球用ボール、クリケットボール、ボウリングボール、ラクロスボール、水球ボール、およびアイスホッケー用パックのうちの１つであってよい。本開示の趣旨から逸脱することなく、他のタイプのボール、特に、何らかの方法で使用者が持ち運び、投げ、かつ／または蹴ることができるボールを使用することもできる。流体は、１つ以上の材料が中に配された液体を含み得る。さまざまなタイプの材料が以下に提供され、かつ／または本開示を考慮して当業者によって組み込まれ得る。液体中に材料を添加することで、液体の流れおよび／または粘度を変化させることができる。
【００１３】
ボールはまた、１つ以上の流体制御要素を含み得、これは、流体経路を通る流体の動きを選択的に制御し、かつ／または少なくとも１つの指定された焦点場所のうちの少なくとも１つ以上への流体の動きを選択的に制御し、かつ／または１つ以上の方向転換壁との接触に関して流体の動きを選択的に制御するように構成されている。流体制御要素は、オリフィス（オリフィスは流体経路である）を通る流体の流れを停止、開始、または別様に変化させるために使用され得る、弁および他の既知の特徴を含み得る。
【００１４】
さらに別の例示的な実施形態では、ハンドルが関連付けられたハウジングと、ハウジング内部に配された流体経路と、流体経路内部に配された１つ以上の方向転換壁と、流体経路内部に配された流体と、を含む遊戯具が提供される。流体経路は、流体経路の少なくとも実質的な長さにわたって実質的に円筒形または実質的に円形の断面形状を有する内壁によって画定される。流体経路は、その中に形成された少なくとも１つの指定された焦点場所も有する。１つ以上の方向転換壁は、流体経路の内壁から半径方向内向きに延び、流体経路を通過する際に別の状況で進むであろう流体移動とは異なる流体経路に沿った場所まで、流体を蛇行して方向転換する。１つ以上の方向転換壁は、少なくとも１つの指定された焦点場所のうちの１つ以上に流体を導くように構成されている。流体は、流体経路内で揺れ動いて、運動エネルギーを生成するように構成されている。流体は、例えばハンドルを握る使用者によって、ハウジングに加えられる特定の運動に基づいて、流体経路を通って、少なくとも１つの指定された焦点場所のうちの１つ以上に導かれる。１つ以上の方向転換壁は、指定された焦点場所に流体を導くのを助けることができる。
【００１５】
テニスラケット、バット、ポロマレット、ラクロススティック、ホッケースティック、およびゴルフクラブを含むがこれらに限定されない、この実施形態によって包含され得る多くの異なるタイプの遊戯具が存在する。本開示の趣旨から逸脱することなく、他のタイプの遊戯具、特に、何らかの方法で腕および／または脚でスイングすることができる遊戯具を使用することもできる。より具体的には、いくつかの例では、ハウジングは、遊戯具がテニスラケットであるように、スロートおよびラケットヘッドを含み得る。いくつかの例では、ハウジングはバレルを含み得、遊戯具はバット（例えば、野球またはクリケット）である。さらに他の例では、ハウジングは、遊戯具がポロマレットであるように、シャフトおよびマレットヘッドを含み得る。なおさらに、いくつかの例では、ハウジングは、遊戯具がラクロススティックであるように、シャフトと、ポケットが関連付けられたヘッドと、を含み得る。他の例では、ハウジングは、遊戯具がホッケースティックであるように、シャフトおよびブレードを含み得る。さらに他の例では、ハウジングは、遊戯具がゴルフクラブであるように、シャフトおよびヘッドを含み得る。
【００１６】
流体は、１つ以上の材料が中に配された液体を含み得る。さまざまなタイプの材料が以下に提供され、かつ／または本開示を考慮して当業者によって組み込まれ得る。液体中に材料を添加することで、液体の流れおよび／または粘度を変化させることができる。
【００１７】
遊戯具はまた、１つ以上の流体制御要素を含み得、これは、流体経路を通る流体の動きを選択的に制御し、かつ／または少なくとも１つの指定された焦点場所のうちの少なくとも１つ以上への流体の動きを選択的に制御し、かつ／または１つ以上の方向転換壁との接触に関して流体の動きを選択的に制御するように構成されている。流体制御要素は、オリフィス（オリフィスは流体経路である）を通る流体の流れを停止、開始、または別様に変化させるために使用され得る、弁および他の既知の特徴を含み得る。
【００１８】
別の例示的な実施形態では、衣服として着用されるように構成された外層と、外層内部に配された流体経路と、流体経路内部に配された１つ以上の方向転換壁と、流体経路内部に配された流体と、を含む衣類が提供される。流体経路は、流体経路の少なくとも実質的な長さにわたって実質的に円筒形または実質的に円形の断面形状を有する内壁によって画定される。流体経路は、その中に形成された少なくとも１つの指定された焦点場所も有する。１つ以上の方向転換壁は、流体経路の内壁から半径方向内向きに延び、別の状況では流体経路を通過する際に別の状況で進むであろう流体移動とは異なる流体経路に沿った場所まで、流体を蛇行して方向転換する。１つ以上の方向転換壁は、少なくとも１つの指定された焦点場所のうちの１つ以上に流体を導くように構成されている。流体は、流体経路内で揺れ動いて、運動エネルギーを生成するように構成されている。流体は、衣類に加えられる特定の運動に基づいて、流体経路を通って、少なくとも１つの指定された焦点場所のうちの１つ以上に導かれる。１つ以上の方向転換壁は、指定された焦点場所に流体を導くのを助けることができる。
【００１９】
いくつかの実施形態では、衣類は、医療用装具、ベスト、シャツ、パンツ、ショートパンツ、バックパック、サドル、およびサドル様パックのうちの１つであってよい。人または他の動物が何らかの方法で着用する他のタイプの衣類または他の織物および／もしくは物体も、本開示の趣旨から逸脱することなく使用され得る。流体は、１つ以上の材料が中に配された液体を含み得る。さまざまなタイプの材料が以下に提供され、かつ／または本開示を考慮して当業者によって組み込まれ得る。液体中に材料を添加することで、液体の流れおよび／または粘度を変化させることができる。
【００２０】
衣類はまた、１つ以上の流体制御要素を含み得、これは、流体経路を通る流体の動きを選択的に制御し、かつ／または少なくとも１つの指定された焦点場所のうちの少なくとも１つ以上への流体の動きを選択的に制御し、かつ／または１つ以上の方向転換壁との接触に関して流体の動きを選択的に制御するように構成されている。流体制御要素は、オリフィス（オリフィスは流体経路である）を通る流体の流れを停止、開始、または別様に変化させるために使用され得る、弁および他の既知の特徴を含み得る。
【００２１】
筋肉および神経のうちの少なくとも１つを構築する例示的な方法は、流体経路が形成された物体に力を加えることを含む。流体経路は、経路の少なくとも実質的な長さにわたって実質的に円筒形または実質的に円形の断面形状を有する内壁によって画定される。１つ以上の方向転換壁は、流体経路の内壁から半径方向内向きに延びる。物体に力を加えると、流体経路内部に配された流体がその経路内で揺れ動き、それによって運動エネルギーが生成される。その結果、流体の一部は、１つ以上の方向転換壁のうちの少なくとも１つと接触して、物体に加えられた力に基づいて、流体を少なくとも１つの指定された焦点場所に導いて、力を加える使用者の小さな筋線維および神経のうちの少なくとも１つを強化する。
【００２２】
いくつかの実施形態では、物体は、ウェイト、ボール、遊戯具、および衣類のうちの１つである。物体がウェイトである場合は、いくつかあるタイプおよび形状の当業者に既知のウェイトの中でも、ウェイトプレート、バーベル、およびジャグのうちの１つであってよい。物体がボールである場合は、いくつかあるタイプのボールの中でも、フットボール用ボール、ラグビーボール、バスケットボール、サッカーボール、野球用ボール、クリケットボール、ボウリングボール、ラクロスボール、水球ボール、およびアイスホッケー用パックのうちの１つであってよい。物体が遊戯具である場合は、いくつかあるタイプの遊戯具の中でも、テニスラケット、バット（例えば、野球またはクリケット）、ポロマレット、ラクロススティック、ホッケースティック、およびゴルフクラブのうちの１つであってよい。物体が衣類である場合は、人または他の動物が何らかの方法で着用する、いくつかあるタイプの衣類または織物および／もしくは物体の中でも、医療用装具、ベスト、シャツ、パンツ、ショートパンツ、バックパック、サドル、およびサドル様パックのうちの１つであってよい。
【００２３】
流体経路内に配される流体は、１つ以上の材料が中に配された液体を含み得る。さまざまなタイプの材料が以下に提供され、かつ／または本開示を考慮して当業者によって組み込まれ得る。液体中に材料を添加することで、液体の流れおよび／または粘度を変化させることができる。いくつかの実施形態では、方法は、流体が流体経路を通過する様式を調節するために、流体経路および１つ以上の方向転換壁の場所のうちの少なくとも１つを調節することをさらに含み得る。これは、例えば、オリフィス（オリフィスは流体経路である）を通る流体の流れを停止、開始、または別様に変化せるために使用され得る、弁および他の既知の特徴などの流体制御要素によって達成することができる。
【００２４】
本開示は、添付の図面と併せて解釈される以下の詳細な説明から、より完全に理解されるであろう。
【００２５】
〔詳細な説明〕
特定の例示的な実施形態は、本明細書に開示される装置および方法の構造、機能、製造、および使用の原理の全体的な理解を提供するために説明される。これらの実施形態の１つ以上の実施例が添付図面に示されている。当業者は、本明細書に具体的に記載され、添付図面に示される装置および方法が、非限定的な例示的実施形態であり、本開示の範囲が、特許請求の範囲によってのみ定められることを理解するであろう。例示的な一実施形態に関連して例示または説明された特徴は、他の実施形態の特徴と組み合わせることができる。このような改変および変形体は、本開示の範囲内に含まれることが意図される。
【００２６】
本開示は、神経筋接合部の発達に焦点を当てることによって、小さな筋線維を構築するのを助ける。特に、本開示は、小さな筋線維および／または神経の構築および強化を補助するために、液体が中に配されたさまざまな物体（ウェイト、遊戯具、ボール、衣服など）を提供する。特に、これらの物体は、小さな筋線維および／または神経の発達を補助する特定の場所に流体を導くのを助けるために、物体内部に形成された特定の構成を有する。物体内に形成された流体経路は、経路内部に（本明細書では内壁とも呼ばれる）１つ以上の方向転換壁を含めることによって強化されて、小さな筋線維および／または神経の強化が起こり得る所望の場所に流体を方向転換するのを助ける。結果として、流体経路内の流体は、方向転換壁によって、物体内部の１つ以上の特定の場所（指定された焦点場所と呼ばれることがある）に方向転換され得る。流体が導かれる１つ以上の特定の場所の位置は、それらが、人および他の動物（例えば、馬）を含み得る使用者の小さな筋線維および神経を強化および構築するのを助けるように位置付けられ得る。これらの教示が使用され得る物体は多数あり、とりわけ、さまざまなタイプのウェイト（例えば、ウェイトプレート、バーベル、ジャグ）、ボール（例えば、フットボール用ボール、ラグビーボール、バスケットボール、サッカーボール、野球用ボール、ボウリングボール、ラクロスボール、水球ボール、アイスホッケー用パック）、遊戯具（例えば、テニスラケット、野球およびクリケット用などのバット、ポロマレット、ラクロススティック、ホッケースティック、ゴルフクラブ）、ならびに衣類（例えば、医療用装具、ベスト、シャツ、パンツ、ショートパンツ、バックパック、サドル、サドル様パック）が含まれる。本開示の趣旨から逸脱することなく、本明細書で提供される他の特徴（例えば、液体、材料が中に配された液体など）の中でも、流体経路および方向転換壁に関する開示を、多くの異なるタイプの物体に組み込む。
【００２７】
ポロマレット（通称ワンド）のいずれかの端部、他の物体に接続されるか、または独立して使用され得る手持ち式ウェイト
ポロマレット、通称ワンド、のいずれかの端部に接続され得る手持ち式ウェイトが図１および図２に示されており、本明細書では、図１を参照すると別様に理解されない限り、通常図２を参照する。図１は、このタイプの実施形態のより高レベルの概観を提供することを意図しており、図２はより詳細を提供する。この特定のウェイトは、固有受容性感覚としてよく知られている、筋肉および関節の神経末端が刺激される過程に焦点を当てる異なるタイプの運動エネルギーを得るために、ハウジングの中央を、またはハウジングの任意の部分に沿って保持され得る。ウェイトまたはポロマレット、通称ワンドの上での手の場所が違えば、実際に身体が動きを感知し、筋肉および関節の神経末端が調節されて小さな神経および筋線維を発達させ、人間または動物を強くする、異なる種類の運動エネルギーが生じ得る。この特定のウェイトはまた、それ自体の流体経路を収容する５つの絡み合った別々のハウジング部またはセクションを有し、その内壁は、加えられる力に基づいて、流体を少なくとも１つの指定された焦点場所に導くと共に、ウェイトに対して運動エネルギーを生成して、力を加える使用者の小さな神経および筋線維を強化する。部品Ｚ、Ｙ、Ｗ、Ｘ、およびＴは、内壁によって操作される流体を収容する、分離したハウジング部を示す。
【００２８】
ウェイトのハウジング内に位置する、ある特定の内壁（本明細書では方向転換壁とも呼ばれる）は、流体経路の少なくとも実質的な長さにわたって、実質的に円筒形または実質的に円形の断面形状を有し得、これは、ハウジングの所望の場所において運動エネルギーを生成するのを助け、運動エネルギーは振動を生じ、身体／動物の神経制御が振動および運動エネルギーを感知し、固有受容性感覚に焦点を合わせるのを助ける。最終的には、特定の神経および筋肉に焦点を合わせるための所望の運動エネルギーを得るために、ウェイト／ハウジングをあらゆる異なるタイプの方向、左右、上下、および四方に動かしている間に筋肉内の神経末端を構築すると共に、人および動物がより強くなるのを助ける。
【００２９】
ハウジングセクションＺのこの特定の内壁は、サメの歯のように、またはロッキー山脈のように設計され、内壁４上に位置する。流体経路が変化し、この内壁によって画定されており、流体が内壁３、またはこの実施例ではサメの歯／ロッキー山脈にぶつかった地点から液体または流体経路の迂回が発生する場合、流体は、３Ｂとして知られるセクションＺのハウジングの側面に対して戻るように方向転換され、ウェイトのこれらの２つの特定の部品である部品３および３Ｂにおいて運動エネルギーを生じさせる。ハウジング内部の部品３および３Ｂにおいて運動エネルギーを生じることは、身体または動物が位置感覚を使用し、セクションＺで前後に揺れ動く液体ウェイトから加わるストレスに意識的または無意識に応答するのに役立ち得る。これは、刺激される筋肉および関節の神経末端の外側固有受容性感覚に焦点を当てた運動エネルギーを生成するのに役立ち得る。
【００３０】
この特定の内壁は、セクションＺ、Ｗ、Ｘ、およびＴ内の流体とは別の、セクションＹ内のそれ自体の流体を保持するように開発された、ハウジング１にしっかりと固定される。他の場合には、内壁とハウジングとを関連付けるための他の既知の方法で解放可能に接続または構成され得るので、しっかりと固定される必要はない。４と明示されたこの内壁の内側には、４Ａと明示された内壁を有する内側ハウジングがある。これらの内壁４Ａは、内向きに延び、少なくとも１つの指定された焦点場所を有する流体経路を方向転換して、設計領域内に所望の揺れ動き（slosh）および運動エネルギーを生成する。流体が４の内壁内を揺れ動くと、４Ａの内壁は流体経路を方向転換し、ハウジングのセクションＹに運動エネルギー／振動を生成する。このセクションＹは、刺激される筋肉および関節の前記神経末端の内側固有受容性感覚に焦点を当てた運動エネルギーをハウジング内部に生成し得る。
【００３１】
ハウジングのセクションＷでは、この内壁５は、ハウジングに取り付けられておらず、セクションＷでハウジングに衝突することができる自由流動壁であり、固定壁は４と明示され、固定壁は６と明示され、これは内壁４と同一である。５と明示された内壁では、より重い壁であるように設計され、したがって、前記壁／ハウジングに衝突すると、衝突により、３、４、４Ａ、６および６Ａおよび７の内壁とは異なる方法で固有受容性感覚を誘発する振動または運動エネルギーを生成する。ハウジング内側の全内壁の運動／振動の組み合わせは、流体経路の方向転換によって生成される運動エネルギーによって刺激され得る筋肉および関節の神経末端の発達を助けることができる。
【００３２】
ハウジングのセクションＸにおける、この内壁は、内壁４のセクションＹと同じであってよいが、６Ａの内壁は、内壁４Ａとは異なるように設計することもできる。例えば、６Ａの内壁は、内壁４Ａの反対方向に向かうことができる。６Ａの内壁は、内向きに延び、少なくとも１つの指定された焦点場所を有する流体経路を方向転換して、ハウジング内部の設計領域内に所望の揺れ動きおよび運動エネルギーを生成し得る。
【００３３】
ハウジングのセクションＴにおける、この内壁は、内壁３と同じであってよいが、ウェイトのハウジング端部に位置することができ、内壁３の反対の効果を生み出す。運動エネルギーをハウジングの内部から得る代わりに、運動エネルギーは、ウェイトに取り付けられたハウジングの端部に集中させることができる。本明細書に記載されるように、流体経路および内壁は、流体を指定された力の場所に導くように作用する。
【００３４】
これらのセクションＺ、Ｙ、Ｗ、Ｘ、Ｔにおいて、液体は、ウェイトの所望の効果を得るために、別様に処方され得る。セクションＺでは、液体は、Ｈ２Ｏと、コーンスターチと、８Ａと明示された２つの自由浮遊ロッドと、の組み合わせを有する。コーンスターチは、Ｈ２Ｏ単独よりも少量の揺れ動きを作り出すために添加され得る。ロッドは、それ自体の運動エネルギーを生成することによって、液体を貫通するようにＺセクション内にあってよい。セクションＹでは、液体は単にＨ２Ｏである。セクションＷでは、液体は、塩とＨ２Ｏの塩混合物を添加されてハウジング全体の重量を増す。セクションＸは、液体に関連するので、セクションＹと同じである。セクションＴでは、液体は、Ｈ２Ｏ、コーンスターチおよび金属ＢＢに由来し、液体の混合物に浸透し、ハウジングの内側の残りの液体とは異なった影響を与える。当業者は、本開示を考慮して、流体の粘度、流速などを変化させ、したがって、使用者への影響も変化させるために、流体経路内部に配される液体または流体に対して行われ得る多くの他の変化を理解するであろう。
【００３５】
このハウジングは、この装置を、ウェイトとして、またはワンド／ポロマレットの端部もしくは両端部に使用することによって、最終的に神経筋制御および固有受容性感覚を発達させるために、異なるタイプの運動エネルギーおよび振動を得るように設計される。言い換えれば、このハウジングのデザインは、それが独立したウェイトとして役立ち得るように、またはポロマレットのマレットヘッドとして使用されるよう構成され得るようになっている。本開示を考慮して、ウェイトおよび遊戯具について、他の二重目的デザインも達成することができる。
【００３６】
液体ウェイトテクノロジーを使用する間に異なる効果を得るために異なる場所で把持され得るプレートウェイト
図３は、別の手持ち式プレートウェイトを提供する。ウェイトはいくつかのハウジングに分割され得る。図示のとおり、本ウェイトは８個の異なるハウジングセクションに分割されて、１枚の完全なハウジングのプレートウェイトを完成させている。これらのハウジングは、１、２、３、４、５、６、７、および８個のハウジングの、別々のハウジングセクションにおいて使用者によって使用され得る。この特定のウェイトは、固有受容性感覚としてよく知られている、筋肉および関節の神経末端が刺激される過程に焦点を当てる異なるタイプの運動エネルギーを得るために、使用者の周りで保持されるか、または吊り下げられ得る。ハウジング上の異なる場所は、実際に人、馬などを含む動物を包含する使用者が運動を感知し、筋肉および関節の神経末端が調節されて小さな神経および筋線維を発達させ、使用者を強くする、異なる種類の運動エネルギーを生成する。この特定のウェイトはまた、それぞれがそれ自体の流体経路を収容する３つの絡み合った別々のハウジング部と、液体構造と、を有し、その内壁は、加えられる力に基づいて流体を少なくとも１つの指定された焦点場所に導くと共に、ウェイトに対して運動エネルギーを生成して、力を加える使用者の小さな神経および筋線維を強化する、プラットフォームを包含する。部品Ｚ、Ｙ、Ｗは、分離したハウジング部を示し得、これは、ハウジング内に収容された内壁によって操作される流体を収容し得る。
【００３７】
ウェイトのハウジング内に位置する、ある特定の内壁は、流体経路の少なくとも実質的な長さにわたって、実質的に円筒形または実質的に円形の断面形状を有し得、これは、ハウジングの所望の場所において運動エネルギーを生成するのを助け、運動エネルギーは振動を生じ、身体／動物の神経制御が振動および運動エネルギーを感知し、固有受容性感覚に焦点を合わせるのを助ける。最終的には、より強くなるよう、特定の神経および小さな筋線維に焦点を合わせるための所望の運動エネルギーを得るために、ウェイト／ハウジングをあらゆる異なるタイプの方向、左右、上下、および四方に動かしている間に筋肉内の神経末端を構築すると共に、使用者がより強くなるのを助ける。
【００３８】
ウェイト全体のハウジング内部の、Ｚとして知られる第１のハウジングは、Ｙとして知られる第２のハウジングに接続された内壁の半径方向の対称性を有することができ、第２のハウジングは、図示の実施形態では、Ｗとして知られる第３のハウジングに接続されておらず、それは、第３のハウジングは、プレートウェイトの中心／中央に位置する第２の内側ハウジングの空間の内側で揺れ動くためである。第２のハウジングＹは、第２のハウジングの内側を自由に流動することができる第３のハウジングを包むことができる。第３のハウジングＷは、ウェイトの中央に位置することができ、自由に流動して第２のハウジングＹに衝突することができる。
【００３９】
ハウジングＺとして知られる第１のハウジングでは、流体経路内部に、より多くの方向転換壁が配されてもよく、１つ以上の方向転換壁は、流体経路の内壁から半径方向内向きに延びて、流体経路を通過する際に別の状況で進むであろう流体移動とは異なる流体経路に沿った場所まで、流体を蛇行して方向転換し、１つ以上の方向転換内壁は、少なくとも１つの指定された焦点場所のうちの１つ以上に流体を導くように構成され、流体は、流体経路内部に配され、その中で揺れ動き、運動エネルギーを生成するように構成される。これらの内壁は、内向きおよび外向きに湾曲し、Ｚハウジング領域において異なる種類の運動エネルギーおよび振動を生成する。
【００４０】
６の内壁と関連付けられた流体経路の流動を止めるために、６と明示された内壁の間に内壁を配置することができる。したがって、流体は、プレートウェイト／ハウジングの動きと共に上下、左右に揺れ動き得、７の内壁に衝突する。７の内壁は、Ｙと明示された内側ハウジングのより近くに置かれるか、またはＹハウジング構造からより遠くに置かれて、所望の揺れ動きを得て、使用者の固有受容性感覚および神経制御のための所望の運動エネルギーを生成することができる。
【００４１】
Ｗと明示されたハウジング領域は、使用者がハウジング部全体を動かすときに、流路を導き、運動エネルギーを生成するために、内壁と共に自由に流動することができる。９と明示され、６および７の内壁間に捕捉されたこの液体は、Ｈ２Ｏおよび塩の液体を含有し得る。１０と明示されたこの液体は、ハウジングＹ内部に捕捉され得、Ｈ２Ｏ、塩、およびコーンスターチの液体を含有し得る。１１と明示された液体は、ハウジングＷ内部に捕捉され得、９と同じ液体を含有し得る。１２と明示された液体は、内壁７と、１として明示された外側ハウジングとの間に捕捉され得、Ｈ２Ｏの液体であってよい。このハウジングは、ハウジングを使用し、ハウジングを種々の方法で把持することによって、最終的に神経筋制御および固有受容性感覚を発達させるために、異なるタイプの運動エネルギーおよび振動を得るように設計される。
【００４２】
ゴアテックスジャケットの内側の液体ウェイトテクノロジーによるランニングスーツ
ハウジングの空気袋の内側の液体ウェイトテクノロジーによるランニングスーツ。この特定のスーツは、固有受容性感覚としてよく知られている、筋肉および関節の神経末端が刺激される過程に焦点を当てる、スーツの内側に配されたハウジングからの運動エネルギーを得るために、トレーニング中に使用され得る。ハウジング内部の流体経路は、筋肉および関節の神経末端を刺激する運動エネルギーを生成して、小さな神経および筋線維を発達させ、使用者をより強くすることができる。
【００４３】
スーツの、２と明示されたハウジング内に位置する、ある特定の内壁は、その少なくとも実質的な長さにわたって、実質的に円筒形または実質的に円形の断面形状を有し得、これは、ハウジングの所望の場所において運動エネルギーを生成するのを助け、この運動エネルギーは振動を生じ、使用者の神経制御が振動および運動エネルギーを感知し、固有受容性感覚に焦点を合わせるのを助ける。最終的には、特定の神経および筋線維に焦点を合わせるための所望の運動エネルギーを得るために、使用者が動く間、ウェイト／ハウジングをあらゆる異なるタイプの方向、左右、上下、および四方に動かしている間に筋肉内の神経末端を構築すると共に、使用者がより強くなるのを助ける。
【００４４】
３と明示された液体は、スーツに余分な重みを与えるために、Ｈ２Ｏおよび塩の液体を含有し得る。個々のハウジングを分割する内壁が４と明示される。このランニングスーツで練習すると、使用者が動いている間に、ハウジング内側の流体経路が揺れ動き、固有受容性感覚および神経筋制御を発達させながら運動エネルギーを生成し得る。
【００４５】
当業者は、本明細書で提供される教示を組み込み得る、人および動物（例えば、馬）を含む使用者に着用されるかまたは別様に使用者の上に置かれる多くの他の衣類または他の物体を認識するであろう。これらは、医療用装具、ベスト、シャツ、パンツ、ショートパンツ、バックパック、サドル、およびサドル様パックを含むが、これらに制限されない。
【００４６】
ポロマレット／ワンド
図５は、ポロマレットまたはワンドである遊戯具を提供する。ハウジングを１と明示し、ポロマレット（またはワンド）を２と明示し、ハンドグリップを３と明示する。Ｈ２Ｏ、塩、および繊維質プラスチックを使用した液体を４と明示する。ハウジングの内側のワッシャは、内壁を作ることができ、５である。当業者は、他の場合には、本出願の他の部分で教示されるように、半径方向内向きに延在する、経路に沿った、再偏向壁を形成し得ることを認識するであろう。この装置は、理学療法に、または神経および小さな筋線維の維持および成長に使用され得る。
【００４７】
フットボール用ボール
図６は、フットボール用ボールであるボールを提供する。内壁は１と明示され、ハウジングは２と明示され、フットボール用ボールは３と明示され、内壁は４と明示され、ハウジングは５と明示され、Ｈ２Ｏ溶液である液体は６と明示され、Ｈ２Ｏ、塩、コーンスターチ、およびＢＢの溶液である液体は７と明示される。本出願全体にわたって示されるように、流体、液体、および材料の任意の組み合わせは、本開示のために提供されるか、または別様に本開示から導出可能な任意の実施形態と併せて使用され得る。このフットボール用ボールは、フットボール用ボールを運び、その制御を維持するのに重要な、フットボール選手の神経および小さな筋線維を強化するために使用され得る。
【００４８】
野球用バットの内側および外側にある液体ウェイト
図７は、野球用バットである遊戯具を示し、これは、バットの内側および外側の両方に関して本開示を組み込んでいる。他の実施形態では、教示は、内側および外側のうちの一方にのみ当てはめることができる。この教示は、特に、クリケットバット、テニスラケット、ゴルフクラブ、ラクロススティック、およびホッケースティックなどの他の遊戯具にも当てはめることができる。練習用バットの内側に液体ウェイトを備えた野球用バットが１と明示されている。
【００４９】
２と明示された、野球用バットのハウジング内に位置する、ある特定の内壁は、その少なくとも実質的な長さにわたって、実質的に円筒形または実質的に円形の断面形状を有し得、これは、ハウジングの所望の場所において運動エネルギーを生成するのを助け、この運動エネルギーは振動を生じ、使用者の神経制御が振動および運動エネルギーを感知し、固有受容性感覚に焦点を合わせるのを助ける。最終的には、野球の動きの打撃の発達を助けるために特定の神経および筋線維に焦点を合わせるための所望の運動エネルギーを得るように、野球用バット／ハウジングがスイング位置で動かされる間に筋肉内の神経末端を構築する間に、使用者がより強くなるのを助ける。
【００５０】
ハウジングの内側に位置する、３と明示される内壁は、ボールの打撃に似ているバットの場所に運動エネルギーを生成し得る。いくつかある遊戯具の中でも特に、テニスラケット、ホッケースティック、クリケットバット、ラクロススティック、およびゴルフクラブでも同じ効果が得られる。
【００５１】
使用する液体は、ハウジングの内側で揺れ動きを生じるように、Ｈ２Ｏ、塩、およびコーンスターチである。液体ウェイトは、本物の野球用バットを覆うように設計され得、５で明示される。シリンダーチューブ５は、液体がシリンダーの内側にある状態で野球用バットを覆うことができ、ハウジングの内壁内部に流体経路を形成する。６と明示されたシリンダーチューブは、野球用バットの上を覆うことができる。使用される液体は、ＢＢ、Ｈ２Ｏ、コーンスターチ、および塩であってよい。他の内壁としては、ゴム状類似物質、正方形、三角形、および金属ディスクが含まれ得るが、これらに限定されない。
【００５２】
トルネードと呼ばれる円錐形シリンダー
２と明示されたトルネードは、液体をトルネードのように一方向に回転させることができ、使用者は、液体の流れに従って、また液体の流れに逆らって、壁を反対方向に回転させるか、または壁を前後に回転させる選択肢を有することができる。ある特定の内壁は、その少なくとも実質的な長さにわたって、実質的に円筒形または実質的に円形の断面形状を有し得、これは、ハウジングの所望の場所において運動エネルギーを生成するのを助け、この運動エネルギーは振動を生じ、使用者の神経制御が振動および運動エネルギーを感知することができ、固有受容性感覚に焦点を合わせるのを助ける。最終的には、特定の神経および筋線維に焦点を合わせるための所望の運動エネルギーを得るために、使用者が動く間、ウェイト／ハウジングをあらゆる異なるタイプの方向、左右、上下、および四方に動かしている間に筋肉内の神経末端を構築すると共に、使用者がより強くなるのを助ける。
【００５３】
１と明示された液体は、塩、Ｈ２Ｏ、およびコーンスターチの溶液であってよい。内壁は３と明示され、内側に液体が捕捉されている内壁は４と明示され、使用者が使用し得るグリップおよびハンドルは５と明示され、外側グリップは６と明示されている。
【００５４】
液体
種々のサイズ、形状（円形、円筒形、長方形、正方形、台形、ストリング、コイル、自由形状を含む他の既知の形状）、重量などの構成要素を含む、さまざまな材料を液体中に入れることができる。同様に、液体のタイプは、種々の効果を提供するために変化し得る。液体および流体の改変は、本明細書で提供されるか、または別様に本明細書から導出可能な、実施形態のいずれかに適用することができる。
【００５５】
コンピュータによる実現
図９は、本明細書で提供されるさまざまな流体経路を通る流体の流れを制御するのを助けるために使用され得る、コントローラまたは他のコンピュータ８００の例示的な実施形態の物理的構成要素のブロック図を示す。本明細書では、例示的なコンピュータ８００を描き、説明するが、これは普遍性および便宜上のものであることが理解されるであろう。他の実施形態では、コンピュータ８００は、ここで示し、説明するものとは、構造および動作が異なり得る。コンピュータ８００は、タブレットコンピュータ、モバイルデバイス、スマートデバイス、ウェアラブルデバイス、スマートフォン、ラップトップコンピュータ、デスクトップコンピュータ、クラウドベースのコンピュータ、サーバコンピュータ、流体が中を流れている物体に直接関連付けられたコントローラ、前述したもののうちの複数、などとすることができる。
【００５６】
図示のコンピュータ８００は、例えば、組み込みソフトウェア、オペレーティングシステム、デバイスドライバ、アプリケーションプログラムなどを実行することによって、コンピュータの動作を制御するプロセッサ９２２を含むことができる。プロセッサ９２２は、プログラマブル汎用プロセッサもしくは専用プロセッサ、および／あるいはさまざまな専売または市販のシングルもしくはマルチプロセッサシステムのいずれかを含む、任意のタイプのマイクロプロセッサまたは中央処理装置（ＣＰＵ）を含み得る。本明細書で使用するプロセッサという用語は、マイクロプロセッサ、マイクロコントローラ、ＡＳＩＣ、ＦＰＧＡ、ＰＩＣ、内部または外部メモリまたはレジスタからプログラム命令を読み取り解釈するプロセッサなどを指すことができる。コンピュータ８００は、プロセッサ９２２によって実行されるコードのための、またはプロセッサによって処理されるデータのための一時的または恒久的保存を提供することができるメモリ９２４を含み得る。メモリ９２４は、読み取り専用メモリ（ＲＯＭ）、フラッシュメモリ、１つ以上のさまざまなランダムアクセスメモリ（ＲＡＭ）、および／またはメモリテクノロジーの組み合わせを含み得る。コンピュータ８００のさまざまな構成要素は、任意の１つ以上の別個のトレース、物理バス、通信回線などを介して相互接続され得る。
【００５７】
コンピュータ８００は、通信インタフェースまたはＩ／Ｏインタフェースなどのインタフェース９２６を含むことができる。通信インタフェースは、コンピュータ８００が、ネットワークまたは通信バス（例えば、ユニバーサルシリアルバス）を通じて遠隔装置（例えば、他のコントローラもしくはコンピュータシステム）と通信することを可能にし得る。Ｉ／Ｏインタフェースは、１つ以上の入力装置、１つ以上の出力装置、およびコンピュータ８００のさまざまな他の構成要素間の通信を容易にすることができる。例えば、インタフェース９２６は、第２のコンピュータのコンピュータ構成要素（例えば、第２のコンピュータの統合ラジオ）と通信することができる。例示的な入力装置は、タッチスクリーン、機械的ボタン、キーボード、およびポインティングデバイスを含む。追加の例示的な出力装置は、プロジェクタ、電子表示スクリーン、およびスピーカを含む。コンピュータ８００は、不揮発性および／または非一時的な様式でデータを記憶するための任意の従来の媒体を含み得る記憶装置９２８を含み得る。したがって、記憶装置９２８は、持続状態でデータおよび／または命令を保持することができる（すなわち、コンピュータ８００への電力の遮断にもかかわらず、値が保持される）。記憶装置９２８は、１つ以上のハードディスクドライブ、フラッシュドライブ、ＵＳＢドライブ、光学ドライブ、さまざまなメディアディスクもしくはカード、および／またはそれらの任意の組み合わせを含み得、コンピュータ８００のその他の構成要素に直接接続されるか、もしくは通信インタフェースを介するなどして遠隔接続され得る。コンピュータ８００は、ディスプレイ９３０を含み得、その上に表示される画像を生成することができる。いくつかの実施形態では、ディスプレイ９３０は、真空蛍光ディスプレイ（ＶＦＤ）、有機発光ダイオード（ＯＬＥＤ）ディスプレイ、または液晶ディスプレイ（ＬＣＤ）とすることができる。コンピュータ８００は、電源９３２と、適切な調節および調整回路と、を含み得る。例示的な電源は、ポリマーリチウムイオン電池などの電池、またはコンピュータ８００をＤＣもしくはＡＣ電源に結合するためのアダプタ（例えば、ＵＳＢアダプタもしくは壁アダプタ）を含む。
【００５８】
当業者は、本開示を考慮して、流体の流れを制御する目的で、流体が中に配されたさまざまな物体にコンピュータによる実現を組み込むことができるさまざまな方法を理解するであろう。これは、流体の流れを制御するための物体との遠隔通信、ならびに／または物体内および／もしくは物体上に直接埋め込まれた通信を含み得る。結果として、使用者は、１つ以上の指定された焦点場所への流体の流れを選択的に制御して、それらの場所に近接する特定の小さな筋線維および神経を強化および構築するのを助けることができる。制御は、流体の流れを開始するか、停止するか、または別様にその量、持続時間、場所などを修正することを含むが、これらに制限されない。これは、当業者に既知の、流体の流れを制御するために使用される弁および他の構成要素を制御することを含み得るが、これに制限されない。当業者は、本開示を考慮して、本図に示すもののような制御システムと共にそのような制御機構を組み込むことができる。
【００５９】
当業者は、前述の実施形態に基づく本開示のさらなる特徴および利点を理解するであろう。したがって、本開示は、添付の特許請求の範囲によって示されるものを除いて、特に図示され、説明されたものによって制限されるべきではない。特に、少なくとも概要および特許請求の範囲において企図されるように、流体経路、方向転換壁、指定された焦点場所、ならびに流体の流れおよび関連する揺れ動きによる運動エネルギーの生成に関する、本開示を考慮して生成され得る多くの異なるタイプの物体がある。したがって、本開示は、企図されるさまざまな選択肢のすべてを明示的に示すわけではないが、それらは、本開示を考慮すれば当業者によって容易に理解され得る。さらに、流体経路、方向転換壁、指定された焦点場所、流体の流れおよび関連する揺れ動きによる運動エネルギーの生成などの特徴、ならびに他の特徴に関する一実施形態において提供されるさまざまな教示は、本開示の趣旨から逸脱することなく、本明細書において開示または言及されたさまざまな他の実施形態および物体に容易に採用することができる。簡潔にするため、本開示を利用するために作り出すことができる種々の組み合わせおよび物体のすべては、明確かつ詳細には含まれない。
【００６０】
本明細書に引用されるすべての刊行物および参考文献は、参照により全体として本明細書に明確に組み込まれる。
【００６１】
〔実施の態様〕
（１）  ウェイトであって、
ハウジングと、
前記ハウジング内部に配された流体経路であって、前記流体経路は、その少なくとも実質的な長さにわたって実質的に円筒形または実質的に円形の断面形状を有する内壁によって画定され、前記流体経路は、その中に形成された少なくとも１つの指定された焦点場所を有する、流体経路と、
前記流体経路内部に配された１つ以上の方向転換壁であって、前記１つ以上の方向転換壁は、前記流体経路の前記内壁から半径方向内向きに延び、前記流体経路を通過する際に別の状況で進むであろう流体移動とは異なる前記流体経路に沿った場所まで、流体を蛇行して方向転換し、前記１つ以上の方向転換壁は、前記少なくとも１つの指定された焦点場所のうちの１つ以上に流体を導くように構成されている、１つ以上の方向転換壁と、
前記流体経路内部に配され、その中で揺れ動き、それによって運動エネルギーを生成するように構成された流体であって、前記流体は、前記ハウジングに加えられる特定の運動に基づいて、前記流体経路を通って、前記少なくとも１つの指定された焦点場所のうちの１つ以上に導かれる、流体と、
を含む、ウェイト。
（２）  実施態様１に記載のウェイトにおいて、
前記ハウジングは、ウェイトプレート、バーベル、およびジャグのうちの１つをさらに含む、ウェイト。
（３）  実施態様１に記載のウェイトにおいて、
前記流体は、１つ以上の材料が中に配された液体をさらに含む、ウェイト。
（４）  実施態様１に記載のウェイトにおいて、
前記流体経路を通る前記流体の動きを選択的に制御すること、前記少なくとも１つの指定された焦点場所のうちの前記少なくとも１つ以上への前記流体の動きを選択的に制御すること、および前記１つ以上の方向転換壁との接触に関して前記流体の動きを選択的に制御すること、のうちの少なくとも１つを行うように構成された、１つ以上の流体制御要素をさらに含む、ウェイト。
（５）  実施態様１に記載のウェイトにおいて、
前記少なくとも１つの指定された焦点場所のうちの前記１つ以上は、使用者の小さな筋線維および神経のうちの少なくとも１つを構築するために、所望の運動エネルギーを生成するのに役立つ場所に配されている、ウェイト。
【００６２】
（６）  ボールにおいて、
外層と、
前記外層内部に配された流体経路であって、前記流体経路は、その少なくとも実質的な長さにわたって実質的に円筒形または実質的に円形の断面形状を有する内壁によって画定され、前記流体経路は、その中に形成された少なくとも１つの指定された焦点場所を有する、流体経路と、
前記流体経路内部に配された１つ以上の方向転換壁であって、前記１つ以上の方向転換壁は、前記流体経路の前記内壁から半径方向内向きに延び、前記流体経路を通過する際に別の状況で進むであろう流体移動とは異なる前記流体経路に沿った場所まで、流体を蛇行して方向転換し、前記１つ以上の方向転換壁は、前記少なくとも１つの指定された焦点場所のうちの１つ以上に流体を導くように構成されている、１つ以上の方向転換壁と、
前記流体経路内部に配され、その中で揺れ動き、それによって運動エネルギーを生成するように構成された流体であって、前記流体は、前記ボールに加えられる特定の運動に基づいて、前記流体経路を通って、前記少なくとも１つの指定された焦点場所のうちの１つ以上に導かれる、流体と、
を含む、ボール。
（７）  実施態様６に記載のボールにおいて、
前記外層内部に配された空気袋をさらに含み、前記流体経路は、前記空気袋内に配されている、ボール。
（８）  実施態様６に記載のボールにおいて、
前記ボールは、フットボール用ボール、ラグビーボール、バスケットボール、サッカーボール、野球用ボール、クリケットボール、ボウリングボール、ラクロスボール、水球ボール、およびアイスホッケー用パックのうちの１つである、ボール。
（９）  実施態様６に記載のボールにおいて、
前記流体は、１つ以上の材料が中に配された液体をさらに含む、ボール。
（１０）  実施態様６に記載のボールにおいて、
前記流体経路を通る前記流体の動きを選択的に制御すること、前記少なくとも１つの指定された焦点場所のうちの前記少なくとも１つ以上への前記流体の動きを選択的に制御すること、および前記１つ以上の方向転換壁との接触に関して前記流体の動きを選択的に制御すること、のうちの少なくとも１つを行うように構成された、１つ以上の流体制御要素をさらに含む、ボール。
【００６３】
（１１）  実施態様６に記載のボールにおいて、
前記少なくとも１つの指定された焦点場所のうちの前記１つ以上は、使用者の小さな筋線維および神経のうちの少なくとも１つを構築するために、所望の運動エネルギーを生成するのに役立つ場所に配されている、ボール。
（１２）  遊戯具において、
ハンドルが関連付けられたハウジングと、
前記ハウジング内部に配された流体経路であって、前記流体経路は、その少なくとも実質的な長さにわたって実質的に円筒形または実質的に円形の断面形状を有する内壁によって画定され、前記流体経路は、その中に形成された少なくとも１つの指定された焦点場所を有する、流体経路と、
前記流体経路内部に配された１つ以上の方向転換壁であって、前記１つ以上の方向転換壁は、前記流体経路の前記内壁から半径方向内向きに延び、前記流体経路を通過する際に別の状況で進むであろう流体移動とは異なる前記流体経路に沿った場所まで、流体を蛇行して方向転換し、前記１つ以上の方向転換壁は、前記少なくとも１つの指定された焦点場所のうちの１つ以上に流体を導くように構成されている、１つ以上の方向転換壁と、
前記流体経路内部に配され、その中で揺れ動き、それによって運動エネルギーを生成するように構成された流体であって、前記流体は、前記ハンドルを握る使用者によって前記ハウジングに加えられる特定の運動に基づいて、前記流体経路を通って、前記少なくとも１つの指定された焦点場所のうちの１つ以上に導かれる、流体と、
を含む、遊戯具。
（１３）  実施態様１２に記載の遊戯具において、
前記ハウジングは、スロートと、ラケットヘッドと、をさらに含み、前記遊戯具は、テニスラケットである、遊戯具。
（１４）  実施態様１２に記載の遊戯具において、
前記ハウジングは、バレルをさらに含み、前記遊戯具は、バットである、遊戯具。
（１５）  実施態様１２に記載の遊戯具において、
前記ハウジングは、シャフトと、マレットヘッドと、をさらに含み、前記遊戯具は、ポロマレットである、遊戯具。
【００６４】
（１６）  実施態様１２に記載の遊戯具において、
前記ハウジングは、シャフトと、ポケットが関連付けられたヘッドと、をさらに含み、前記遊戯具は、ラクロススティックである、遊戯具。
（１７）  実施態様１２に記載の遊戯具において、
前記ハウジングは、シャフトと、ブレードと、をさらに含み、前記遊戯具は、ホッケースティックである、遊戯具。
（１８）  実施態様１２に記載の遊戯具において、
前記ハウジングは、シャフトと、ヘッドと、をさらに含み、前記遊戯具は、ゴルフクラブである、遊戯具。
（１９）  実施態様１２に記載の遊戯具において、
前記流体は、１つ以上の材料が中に配された液体をさらに含む、遊戯具。
（２０）  実施態様１２に記載の遊戯具において、
前記流体経路を通る前記流体の動きを選択的に制御すること、前記少なくとも１つの指定された焦点場所のうちの前記少なくとも１つ以上への前記流体の動きを選択的に制御すること、および前記１つ以上の方向転換壁との接触に関して前記流体の動きを選択的に制御すること、のうちの少なくとも１つを行うように構成された、１つ以上の流体制御要素をさらに含む、遊戯具。
【００６５】
（２１）  実施態様１２に記載の遊戯具において、
前記少なくとも１つの指定された焦点場所のうちの前記１つ以上は、使用者の小さな筋線維および神経のうちの少なくとも１つを構築するために、運動エネルギーを生成するのに役立つ場所に配されている、遊戯具。
（２２）  衣類において、
衣服として着用されるように構成された外層と、
前記外層内部に配された流体経路であって、前記流体経路は、その少なくとも実質的な長さにわたって実質的に円筒形または実質的に円形の断面形状を有する内壁によって画定され、前記流体経路は、その中に形成された少なくとも１つの指定された焦点場所を有する、流体経路と、
前記流体経路内部に配された１つ以上の方向転換壁であって、前記１つ以上の方向転換壁は、前記流体経路の前記内壁から半径方向内向きに延び、前記流体経路を通過する際に別の状況で進むであろう流体移動とは異なる前記流体経路に沿った場所まで、流体を蛇行して方向転換し、前記１つ以上の方向転換壁は、前記少なくとも１つの指定された焦点場所のうちの１つ以上に流体を導くように構成されている、１つ以上の方向転換壁と、
前記流体経路内部に配され、その中で揺れ動き、それによって運動エネルギーを生成するように構成された流体であって、前記流体は、前記衣類に加えられる特定の運動に基づいて、前記流体経路を通って、前記少なくとも１つの指定された焦点場所のうちの１つ以上に導かれる、流体と、
を含む、衣類。
（２３）  実施態様２２に記載の衣類において、
前記衣類は、医療用装具、ベスト、シャツ、パンツ、ショートパンツ、バックパック、サドル、およびサドル様パックのうちの１つである、衣類。
（２４）  実施態様２２に記載の衣類において、
前記流体は、１つ以上の材料が中に配された液体をさらに含む、衣類。
（２５）  実施態様２２に記載の衣類において、
前記流体経路を通る前記流体の動きを選択的に制御すること、前記少なくとも１つの指定された焦点場所のうちの前記少なくとも１つ以上への前記流体の動きを選択的に制御すること、および前記１つ以上の方向転換壁との接触に関して前記流体の動きを選択的に制御すること、のうちの少なくとも１つを行うように構成された、１つ以上の流体制御要素をさらに含む、衣類。
【００６６】
（２６）  実施態様２２に記載の衣類において、
前記少なくとも１つの指定された焦点場所のうちの前記１つ以上は、使用者の小さな筋線維および神経のうちの少なくとも１つを構築するために、所望の運動エネルギーを生成するのに役立つ場所に配されている、衣類。
（２７）  筋肉および神経のうちの少なくとも１つを構築する方法において、
流体経路が形成された物体に力を加えることを含み、前記流体経路は、その少なくとも実質的な長さにわたって実質的に円筒形または実質的に円形の断面形状を有する内壁によって画定され、１つ以上の方向転換壁が前記流体経路の前記内壁から半径方向内向きに延び、
前記物体に前記力を加えると、前記流体経路内部に配された流体がその中で揺れ動き、それによって運動エネルギーが生成され、前記流体の一部は、前記１つ以上の方向転換壁のうちの少なくとも１つと接触して、前記物体に加えられた前記力に基づいて、前記流体を少なくとも１つの指定された焦点場所に導いて、前記力を加える使用者の小さな筋線維および神経のうちの少なくとも１つを強化する、方法。
（２８）  実施態様２７に記載の筋肉を構築する方法において、
前記物体は、ウェイト、ボール、遊戯具、および衣類のうちの１つである、方法。
（２９）  実施態様２８に記載の筋肉を構築する方法において、
前記物体は、ウェイトであり、前記ウェイトは、ウェイトプレート、バーベル、およびジャグのうちの１つである、方法。
（３０）  実施態様２８に記載の筋肉を構築する方法において、
前記物体はボールであり、前記ボールは、フットボール用ボール、ラグビーボール、バスケットボール、サッカーボール、野球用ボール、クリケットボール、ボウリングボール、ラクロスボール、水球ボール、およびアイスホッケー用パックのうちの１つである、方法。
【００６７】
（３１）  実施態様２８に記載の筋肉を構築する方法において、
前記物体は遊戯具であり、前記遊戯具は、テニスラケット、バット、ポロマレット、ラクロススティック、ホッケースティック、およびゴルフクラブのうちの１つである、方法。
（３２）  実施態様２８に記載の筋肉を構築する方法において、
前記物体は衣類であり、前記衣類は、医療用装具、ベスト、シャツ、パンツ、ショートパンツ、バックパック、サドル、およびサドル様パックのうちの１つである、方法。
（３３）  実施態様２７に記載の筋肉を構築する方法において、
前記流体経路内に配された前記流体は、１つ以上の材料が中に配された液体をさらに含む、方法。
（３４）  実施態様２７に記載の筋肉を構築する方法において、
流体が前記流体経路を通過する様式を調節するために、前記流体経路および前記１つ以上の方向転換壁の場所のうちの少なくとも１つを調節することをさらに含む、方法。
【図面の簡単な説明】
【００６８】
【図１】本開示の手持ち式ウェイトの例示的な一実施形態の概略上面断面図である。
【図２】図１と同様の、本開示の手持ち式ウェイトの別の例示的な実施形態の概略上面断面図である。
【図３】本開示の手持ち式ウェイトのさらに別の例示的な実施形態の概略上面断面図である。
【図４】本開示のランニングスーツの例示的な一実施形態の概略正面図であり、この図に示すランニングスーツの概略詳細部分が含まれている。
【図５】本開示の遊戯具（例えば、ポロマレット）の例示的な一実施形態の概略部分断面側面図である。
【図６】本開示のボール（例えば、フットボール用ボール）の例示的な一実施形態の概略断面側面図である。
【図７】本開示の遊戯具（例えば、野球用バット）の別の例示的な実施形態の概略部分透視図であり、練習用バットおよびゲームに使えるバットの両方のための外側および内側の両方を示す。
【図８】本明細書において本開示のトルネードと呼ばれる円錐形シリンダーの例示的な実施形態の概略部分透視図である。
【図９】本明細書で提供される性質の物体内での流体の流れを制御するためのコンピュータシステムの例示的な一実施形態の概略ブロック図である。
【図１】
0006719796.tif 000002
【図２】
0006719796.tif 000003
【図３】
0006719796.tif 000004
【図４】
0006719796.tif 000005
【図５】
0006719796.tif 000006
【図６】
0006719796.tif 000007
【図７】
0006719796.tif 000008
【図８】
0006719796.tif 000009
【図９】
0006719796.tif 000010